【手続補正書】
【提出日】平成22年2月5日(2010.2.5)
【手続補正１】
【補正対象書類名】明細書
【補正対象項目名】特許請求の範囲
【補正方法】変更
【補正の内容】
【特許請求の範囲】
【請求項１】  
入力された描画コマンドを解析してデスティネーションとなるビットマップの描画プレーンを生成する第１の描画プレーン生成手段と、
新しい属性情報を決定するための描画論理情報を記憶する記憶手段と、
前記第１の描画プレーン生成手段による描画プレーン生成の際に、入力された描画コマンドの画像オブジェクトを前記記憶手段に記憶される描画論理情報に基づき論理演算を実行して既に生成された描画プレーンに重ね合わせて新たな描画プレーンを生成する第２の描画プレーン生成手段と、
前記描画コマンドと該描画コマンドの属性から画像全体の各ピクセルに対し特定の属性情報を含む各ピクセルの属性の決定に用いる新たな情報プレーンを生成する情報プレーン生成手段とを有し、
前記情報プレーン生成手段は、新たな情報プレーンの生成の際に、前記特定の属性情報に所定の関数に基づく演算処理を実行して新たな属性情報を決定することを特徴とする印刷制御装置。
【請求項２】
前記情報プレーン生成手段が演算処理する所定の関数は、前記第２の描画プレーン生成手段による論理演算と同等とすることを特徴とする請求項１記載の印刷制御装置。
【請求項３】
前記情報プレーン生成手段は、新たな情報プレーンの生成の際に、前記第２の描画プレーン生成手段による論理演算結果に基づき、前記特定の属性情報に実行すべき演算処理のための所定の関数を切り替えながら演算処理を実行して新たな属性情報を決定することを特徴とする請求項１又は２に記載の印刷制御装置。
【請求項４】
描画論理演算式が第１の描画論理演算式（Ｄ、Ｄｎ）の時は、デスティネーションピクセルの属性情報を新しいピクセルの属性情報とし、描画論理演算式が第２の描画論理演算式（Ｓ、Ｓｎ）の時はソースピクセルの属性情報を新しいピクセルの属性情報とし、それ以外の時は描画プレーンの演算において指定されている描画論理演算式を行い新しいピクセルの属性情報とすることを特徴とする請求項１記載の印刷制御装置。
【請求項５】
デスティネーションピクセルの属性情報やソースピクセルの属性情報によって演算方法を切り替えることを特徴とする請求項１記載の印刷制御装置。
【請求項６】
デスティネーションピクセルの属性情報とソースピクセルの属性情報が等しい時、デスティネーションピクセルの属性情報を新しいピクセルの属性情報とすることを特徴とする請求項１記載の印刷制御装置。
【請求項７】
前記情報プレーン生成手段は、デスティネーションピクセルやソースピクセルの内容によって属性情報の演算方法を切り替えることを特徴とする請求項１記載の印刷制御装置。
【請求項８】
前記情報プレーン生成手段は、ソースピクセルが白画素の場合、白以外の場合で演算方法を切り替えることを特徴とする請求項１記載の印刷制御装置。
【請求項９】
前記情報プレーン生成手段は、ソースピクセルが白画素で、かつデスティネーションピクセルの属性情報とソースピクセルの属性情報の論理演算式がＡＮＤ論理の場合、論理演算式をＯＲ論理に変換して描画論理演算を行い、その他の場合は指定されたままの論理演算式を用いて描画論理演算を行うことによって、新しいピクセルの属性情報を決定することを特徴とする請求項１記載の印刷制御装置。
【請求項１０】
前記情報プレーン生成手段は、ソースピクセルが白画素でかつデスティネーションピクセルの属性情報とソースピクセルの属性情報の論理演算式がＯＲ論理の場合、論理演算式をＡＮＤ論理に変換して描画論理演算を行い、その他の場合は指定されたままの論理演算式を用いて描画論理演算を行うことによって、新しいピクセルの属性情報を決定することを特徴とする請求項１記載の印刷制御装置。
【請求項１１】
前記情報プレーン生成手段は、ソースピクセルが白画素である時、デスティネーションピクセルの属性情報とソースピクセルの属性情報の論理演算式がＡＮＤ論理の場合、論理演算式をＯＲ論理に変換して描画論理演算を行い、またデスティネーションピクセルの属性情報とソースピクセルの属性情報の論理演算式がＯＲ論理の場合、論理演算式をＡＮＤ論理に変換して描画論理演算を行い、その他の場合は指定されたままの論理演算式を用いて描画論理演算を行うことによって新しいピクセルの属性情報を決定することを特徴とする請求項１記載の印刷制御装置。
【請求項１２】
前記情報プレーン生成手段は、デスティネーションピクセルの属性情報やソースピクセルの属性情報において、属性情報を情報ごとに分離し演算を行うことを特徴とする請求項１記載の印刷制御装置。
【請求項１３】
前記情報プレーン生成手段は、デスティネーションピクセルの属性情報とソースピクセルの属性情報をイメージ、図、文字を示す種別情報部分と有彩色、無彩色を示す色彩情報部分に分離し、デスティネーションピクセルの属性情報とソースピクセルの属性情報の種別情報部分、色彩情報部分について各々に適した演算方法を用いて演算を行うことを特徴とする請求項１記載の印刷制御装置。
【請求項１４】
前記情報プレーン生成手段は、新しいピクセルの属性情報を求めた後、デスティネーションピクセルの属性情報とソースピクセルの属性情報の色彩情報部分において指定されている論理演算を行うことを特徴とする請求項１３記載の印刷制御装置。
【請求項１５】
入力された描画コマンドを解析してデスティネーションとなるビットマップの描画プレーンを生成する第１の描画プレーン生成工程と、
前記第１の描画プレーン生成工程による描画プレーン生成の際に、入力された描画コマンドの画像オブジェクトを記憶される描画論理情報に基づき論理演算を実行して既に生成された描画プレーンに重ね合わせて新たな描画プレーンを生成する第２の描画プレーン生成工程と、
前記描画コマンドと該描画コマンドの属性から画像全体の各ピクセルに対し特定の属性情報を含む各ピクセルの属性の決定に用いる新たな情報プレーンを生成する情報プレーン生成工程とを有し、
前記情報プレーン生成工程は、新たな情報プレーンの生成の際に、前記特定の属性情報に所定の関数に基づく演算処理を実行して新たな属性情報を決定することを特徴とする印刷制御方法。
【請求項１６】
入力された描画コマンドを解析処理する印刷制御装置に、入力された描画コマンドを解析してデスティネーションとなるビットマップの描画プレーンを生成する第１の描画プレーン生成工程と、
前記第１の描画プレーン生成工程による描画プレーン生成の際に、入力された描画コマンドの画像オブジェクトを記憶される描画論理情報に基づき論理演算を実行して既に生成された描画プレーンに重ね合わせて新たな描画プレーンを生成する第２の描画プレーン生成工程と、
前記描画コマンドと該描画コマンドの属性から画像全体の各ピクセルに対し特定の属性情報を含む各ピクセルの属性の決定に用いる新たな情報プレーンを生成する際に、前記特定の属性情報に所定の関数に基づく演算処理を実行して新たな属性情報を決定する情報プレーン生成工程とを実行させるためのプログラムを記録したコンピュータが読み取り可能な記憶媒体。
【請求項１７】
ソース画像とデスティネーション画像とを指定されたラスターオペレーションで合成する際、ソース画像のパターンの部分の属性は、ソース画像の属性とデスティネーション画像の属性とのラスターオペレーションを行うことにより決定し、ソース画像の非パターンの部分の属性は、ソース画像の属性とデスティネーション画像の属性とのＡＮＤを行うことにより決定する決定手段を有することを特徴とする画像処理装置。
【請求項１８】
前記決定手段は、文字の属性が優先されるように決定することを特徴とする請求項１７記載の画像処理装置。
【請求項１９】
ソース画像とデスティネーション画像とを指定されたラスターオペレーションで合成する際、ソース画像のパターンの部分の属性は、ソース画像の属性とデスティネーション画像の属性とのラスターオペレーションを行うことにより決定し、ソース画像の非パターンの部分の属性は、ソース画像の属性とデスティネーション画像の属性とのＡＮＤを行うことにより決定する決定ステップを有することを特徴とする画像処理方法。
【請求項２０】
前記決定ステップは、文字の属性が優先されるように決定することを特徴とする請求項１９記載の画像処理方法。
【請求項２１】
ソース画像とデスティネーション画像とを指定されたラスターオペレーションで合成する際、ソース画像のパターンの部分の属性は、ソース画像の属性とデスティネーション画像の属性とのラスターオペレーションを行うことにより決定し、ソース画像の非パターンの部分の属性は、ソース画像の属性とデスティネーション画像の属性とのＡＮＤを行うことにより決定する決定ステップを実行させるためのプログラムを記録したコンピュータが読み取り可能な記憶媒体。
【請求項２２】
前記決定ステップは、文字の属性が優先されるように決定することを特徴とする請求項２１記載の記憶媒体。